(57)【要約】      （修正有）【課題】使用しない時に、上下両挟持板を押し合わせることにより、省スペースとし、収納や携帯が便利になる多機能ヘアアイロンを提供する。【解決手段】多機能ヘアアイロンは、上部毛髪挟持板１０、下部毛髪挟持板２０及び電源コードのコネクタ３０を装着するための固定部を備え、上部毛髪挟持板の下端は、回転可能に下部毛髪挟持板に取付けられ、上部毛髪挟持板の下端に、固定部に近い側にフランジ１１が設けられ、固定部はハウジング４１ａ、ｂとスライダ４２を含み、ハウジングが下部毛髪挟持板と一体に形成され、スライダが摺動可能にハウジングに取付けられる。使用しないときには、テコの原理によって上下両毛髪挟持板を合わせて収納し、上部毛髪挟持板の下端がスライダに押し上げられて回転できず、下部毛髪挟持板と押し合わされた状態になる。【選択図】図２
0003210054.tif 000002
【実用新案登録請求の範囲】
【請求項１】
上部毛髪挟持板、下部毛髪挟持板及び電源コードのコネクタを取り付けるための固定部を含み、上部毛髪挟持板の下端が回転可能に下部毛髪挟持板に取付けられる多機能ヘアアイロンであって、
前記上部毛髪挟持板の下端に、前記固定部に近い側にフランジが設けられ、前記固定部は、ハウジングとスライダを含み、前記ハウジングが前記下部毛髪挟持板と一体に形成され、前記スライダが摺動可能に前記ハウジングに取付けられること、
前記上部毛髪挟持板が回転して前記下部毛髪挟持板に押し合わされるとき、前記スライダを押してその一端を前記フランジの下にスライドさせ、前記フランジを押し上げることを特徴とする多機能ヘアアイロン。
【請求項２】
請求項１に記載されている多機能ヘアアイロンであって、
前記ハウジングは、お互いに係合可能な上側ハウジングと下側ハウジングを含み、前記下側ハウジングが前記下部毛髪挟持板と一体に形成され、前記上側ハウジングと前記スライダが共に前記下側ハウジングに取付けられることを特徴とする多機能ヘアアイロン。
【請求項３】
請求項２に記載されている多機能ヘアアイロンであって、
前記スライダは、プッシュブロックとストップ板を含み、前記プッシュブロックが摺動可能に前記下側ハウジングに取付けられ、前記プッシュブロックは前記上部毛髪挟持板に近い側の端面が傾斜面であり、前記ストップ板は傾斜面に取付けられ、
前記上部毛髪挟持板を回転させて前記下部毛髪挟持板と押し合わせる時、前記プッシュブロックを押して、前記ストップ板を前記フランジの下にスライドさせ、前記フランジを押し上げることを特徴とする多機能ヘアアイロン。
【請求項４】
請求項３に記載されている多機能ヘアアイロンであって、
前記プッシュブロックには、複数の滑り止めリブが設けられることを特徴とする多機能ヘアアイロン。
【請求項５】
請求項１乃至請求項４のいずれか１つに記載されている多機能ヘアアイロンであって、
挟持板の温度を調節するための温度調節器を備え、前記温度調節器は前記下部毛髪挟持板に取り付けられることを特徴とする多機能ヘアアイロン。
【請求項６】
請求項５に記載されている多機能ヘアアイロンであって、
前記温度調節器は、前記下部毛髪挟持板の内側に取り付けられることを特徴とする多機能ヘアアイロン。
【請求項７】
請求項６に記載されている多機能ヘアアイロンであって、
前記温度調節はダイヤルを回転することにより温度調節を行うことを特徴とする多機能ヘアアイロン。
【請求項８】
請求項５に記載されている多機能ヘアアイロンであって、
マイナスイオン発生器を備え、前記マイナスイオン発生器は前記上部毛髪挟持板の内側に取り付けられることを特徴とする多機能ヘアアイロン。
【請求項９】
請求項５に記載されている多機能ヘアアイロンであって、
前記電源コードのコネクタは、３６０度回転可能に前記ハウジングに取り付けられることを特徴とする多機能ヘアアイロン。
【請求項１０】
請求項９に記載されている多機能ヘアアイロンであって、前記電源コードのコネクタと前記ハウジングとの間に、弾性ワッシャーが設置されることを特徴とする多機能ヘアアイロン。
【考案の詳細な説明】
【技術分野】
【０００１】
本考案は、ヘアケア用品領域に関し、特に、ストレートヘアのための多機能ヘアアイロンに関する。
【背景技術】
【０００２】
パーマは理髪プロセスにおいて不可欠な要素であり、主に使用される用具はヘアアイロンである。市場には多くのストレート用アイロンやウェーブ用アイロンがあり、ストレートヘア、ウェーブやセットをするために、美容理容業界に使用されている。しかし、これらのヘアアイロンの両挟持板は、使用しない時は、開いた状態であるため、スペースを要し、収納や携帯に不便である。
【考案の概要】
【考案が解決しようとする課題】
【０００３】
本考案は、ヘアアイロンを使用しない時に、上下の両挟持板を押し合わせることにより、わずかなスペースしか必要としない、収納や携帯が便利な多機能ヘアアイロンを提供することを目的とする。
【課題を解決するための手段】
【０００４】
本考案は、多機能ヘアアイロンを提供し、当該多機能ヘアアイロンは上部毛髪挟持板、下部毛髪挟持板及び電源コードのコネクタを装着するための固定部を備え、前記上部毛髪挟持板の下端は、回転可能に前記下部毛髪挟持板に取付けられて、前記上部毛髪挟持板の下端に、前記固定部に近い側にフランジが設けられ、前記固定部はハウジングとスライダを含み、前記ハウジングが前記下部毛髪挟持板と一体に形成され、前記スライダが摺動可能に前記ハウジングに取付けられること、前記上部毛髪挟持板が回転して前記下部毛髪挟持板に押し合わせるとき、前記スライダを押してその一端を前記フランジの下にスライドさせ、前記フランジを押し上げることを特徴とする。
【０００５】
また、前記ハウジングは、お互いに係合可能な上側ハウジングと下側ハウジングを含み、前記下側ハウジングが前記下部毛髪挟持板と一体に形成され、前記上側ハウジングと前記スライダが共に前記下側ハウジングに取付けられていることを特徴とする。
【０００６】
また、前記スライダは、プッシュブロックとストップ板とを含み、前記プッシュブロックが摺動可能に前記下側ハウジングに取付けられ、前記プッシュブロックは前記上部毛髪挟持板に近い側の端面が傾斜面であり、前記ストップ板が傾斜面に設けられ、前記上部毛髪挟持板を回転させて前記下部毛髪挟持板に押し合わせる時、前記プッシュブロックを押して、前記ストップ板を前記フランジの下にスライドさせ、前記フランジを押し上げることを特徴とする。
【０００７】
また、前記プッシュブロックには、複数の滑り止めリブが設けられることを特徴とする。
【０００８】
また、挟持板の温度を調節するための温度調節器を備え、前記温度調節器は前記下部毛髪挟持板に取り付けられることを特徴とする。
【０００９】
また、前記温度調節器は前記下部毛髪挟持板の内側に取り付けられることを特徴とする。
【００１０】
また、前記温度調節器はダイヤルを回転することにより温度調節を行うことを特徴とする。
【００１１】
また、マイナスイオン発生器を備え、前記マイナスイオン発生器は前記上部毛髪挟持板の内側に取り付けられることを特徴とする。
【００１２】
また、前記電源コードのコネクトは、３６０度回転可能に前記ハウジングに取り付けられることを特徴とする。
【００１３】
また、前記電源コードのコネクタと前記ハウジングとの間に、弾性ワッシャーが設置されることを特徴とする。
【考案の効果】
【００１４】
従来技術と比較して、本考案が提供する多機能ヘアアイロンは、上部毛髪挟持板、下部毛髪挟持板及び電源コードのコネクタを装着するための固定部を備える。上部毛髪挟持板の下端に、固定部に近い側にフランジが設けられており、固定部はハウジングとスライダを含む。上部毛髪挟持板が回転して下部毛髪挟持板に押し合わされるとき、スライダを押して、その一端をフランジの下にスライドさせ、フランジを押し上げる。使用しないときには、テコの原理によって上下両毛髪挟持板を合わせて収納し、上部毛髪挟持板の下端がスライダにより押し上げられて回転できなくなり、下部毛髪挟持板と押し合わせた状態になる。このため、わずかなスペースのみを必要とし、収納や携帯が便利になる。
【００１５】
以下、添付の図面及び実施形態と併せて、本考案についてさらに詳しく説明する。
【図面の簡単な説明】
【００１６】
【図１】本考案が提供する多機能ヘアアイロンの構造を示す図である。
【図２】図１における固定部の分解図である。
【図３】図１における多機能ヘアアイロンの構造を別方向から示す図である。
【考案を実施するための形態】
【００１７】
図面を参照しながら、本考案の好ましい実施形態について、詳細に説明する。
【００１８】
図１及び図２に示すように、本考案は、好ましい実施形態を有する多機能ヘアアイロンを提供している。多機能ヘアアイロンは、上部毛髪挟持板１０、下部毛髪挟持板２０及び電源コードのコネクタ３０を装着するための固定部４０を備える。上部毛髪挟持板１０の下端は、回転可能に下部毛髪挟持板２０に取付けられている。上部毛髪挟持板１０の下端に、固定部４０に近い側にフランジ１１が設けられている。固定部４０は、ハウジング４１とスライダ４２を含み、ハウジング４１が下部毛髪挟持板２０と一体に形成され、スライダ４２が摺動可能にハウジング４１に取付けられている。上部毛髪挟持板１０が回転して下部毛髪挟持板２０に押し合わされるとき、スライダ４２を押して、その一端をフランジ１１の下にスライドさせ、フランジ１１を押し上げる。ヘアアイロンを使用しないときには、テコの原理によって上下両髪毛挟持板を合わせて収納し、上部毛髪挟持板１０の下端がスライダ４２に押し上げられて回転できず、下部毛髪挟持板２０と押し合わされた状態になる。このため、わずかなスペースのみを必要とし、収納や携帯が便利になる。
【００１９】
具体的には、ハウジング４１の取付けや取外しを容易にするために、ハウジング４１は、お互いに係合可能な上側ハウジング４１ａと下側ハウジング４１ｂを含み、下側ハウジング４１ｂが下部毛髪挟持板２０と一体に形成され、上側ハウジング４１ａとスライダ４２が共に下側ハウジング４１ｂに取付けられている。本実施形態では、スライダ４２は、プッシュブロック４２ａとストップ板４２ｂとを含み、プッシュブロック４２ａが摺動可能に下側ハウジング４１ｂに取付けられている。上部毛髪挟持板１０に近い側の端面が傾斜面であり、ストップ板４２ｂが傾斜面に設けられている。当該傾斜面は、上部毛髪挟持板１０のフランジ１１が回転する時にプッシュブロック４２ａと衝突することを有効に回避できる。上部毛髪挟持板１０を回転させて下部毛髪挟持板２０と押し合わせる時、プッシュブロック４２ａを押して、ストップ板４２ｂをフランジ１１の下にスライドさせ、フランジ１１を押し上げる。押し上げやすくするために、プッシュブロック４２ａには複数の滑り止めリブが設けられている。その他のヘアアイロンと同様に、上部毛髪挟持板１０と下部毛髪挟持板２０の間に、圧縮ばねが設置され、上部毛髪挟持板１０は圧縮ばねにより開くことが可能になる。
【００２０】
使用者はヘアアイロンを使用する際、様々な姿勢をとるので、電源コードにはトルクが発生し、使用に不便が生じることを防止するために、電源コードのコネクタ３０は、３６０度回転可能にハウジング４１に取り付けられている。具体的には、電源コードのコネクタ３０とハウジング４１との間に、弾性ワッシャー４３が設置されて、電源コードのコネクタ３０が振動するのを回避できるとともに、ハウジング４１の摩耗も低減できる。
【００２１】
具体的には、多機能ヘアアイロンは、挟持板の温度を調節するための温度調節器５０も備え、温度調節器５０は下部毛髪挟持板２０に取り付けられる。本実施形態において、温度調節器５０は下部毛髪挟持板２０の内側に取り付けられており、ダイヤルを回転することにより温度調節を行うため、簡単かつ便利である。また、温度調節器５０を下部毛髪挟持板２０の内側に取り付けるため、構造をコンパクトにでき、ヘアアイロンの美観性を確保できる。また、温度調節器５０は温度スイッチの機能も有するため、ダイヤルが終了位置まで回転する時、電流が遮断される。
【００２２】
図３に示すように、多機能ヘアアイロンは、マイナスイオン発生器６０も備え、マイナスイオン発生器６０は上部毛髪挟持板１０の内側に取り付けられているため、ストレートパーマをかける時、髪にマイナスイオンを噴射し、髪の健康に効果がある。
【００２３】
なお、上記した実施例はただ本考案の実施形態を説明したが、それによって本考案の実用新案登録請求の範囲を限定するものと理解されるべきではない。当業者にとって、本考案の構想を逸脱しない前提で、上述した実施例に記載された実施形態について、改良或いは一部の技術的特徴を変形することが可能である。これらの改良や変形は、いずれも本考案の保護範囲に属する。
【符号の説明】
【００２４】
１０    上部毛髪挟持板
１１    フランジ
２０    下部毛髪挟持板
３０    コネクタ
４０    固定部
４１    ハウジング
４１ａ  上側ハウジング
４１ｂ  下側ハウジング
４２    スライダ
４２ａ  プッシュブロック
４２ｂ  ストップ板
４３    弾性ワッシャー
５０    温度調節器
６０    マイナスイオン発生器
【図１】
0003210054.tif 000003
【図２】
0003210054.tif 000004
【図３】
0003210054.tif 000005